(57)【特許請求の範囲】
【請求項１】
掘削して形成された法面に編柵工を階段状に設置し、該編柵工の内側面に沿って上下方向へ粗朶を設置すると共に、該粗朶の内側面に沿って上下方向へ吸出し防止材を装着し、更に、上段側の編柵工との間の法面に所定高さ盛土して客土層を形成し、該客土層上に生育基盤層を設け、且つ、該生育基盤層上に粗朶を敷設し、該粗朶の上面に金網から成る粗朶押えを張設した法面緑化工法に於いて、
上記編柵工の内側面に沿った上下方向及び上記客土層の上面に発芽可能な柳類の粗朶を設置したことを特徴とする法面緑化工法。
【発明の詳細な説明】
【０００１】
【発明の属する技術分野】
この発明は掘削した法面の緑化工法に関するものであり、特に、ダム等の湛水池であって、水位変動域の法面緑化工法に関するものである。
【０００２】
【従来の技術及び発明が解決しようとする課題】
従来、ダム等の湛水池であって、水位変動域の法面に施工される緑化は法面の浸食、崩落の防止と景観保全の目的で該法面に直接に緑化基礎工及び植生工が施されている。
【０００３】
然るに、従来の工法による緑化基礎工は、波浪等の影響により浸食崩壊されることにより、植生が生育する以前に該緑化基盤が流出することがある。
そこで、ダム等の湛水池であって、水位変動域の法面に施工される緑化基盤が波浪等の影響により浸食、崩壊されることを可及的に防止し、法面緑化を効率良く促進させて景観保全が可能となるようにするために解決せらるべき技術的課題が生じてくるのであり、本発明は該課題を解決することを目的とする。
【０００４】
【課題を解決するための手段】
この発明は上記目的を達成するために提案せられたものであり、掘削して形成された法面に編柵工を階段状に設置し、該編柵工の内側面に沿って上下方向へ粗朶を設置すると共に、該粗朶の内側面に沿って上下方向へ吸出し防止材を装着し、更に、上段側の編柵工との間の法面に所定高さ盛土して客土層を形成し、該客土層上に生育基盤層を設け、且つ、該生育基盤層上に粗朶を敷設し、該粗朶の上面に金網から成る粗朶押えを張設した法面緑化工法に於いて、
上記編柵工の内側面に沿った上下方向及び上記客土層の上面に発芽可能な柳類の粗朶を設置したことを特徴とする法面緑化工法を提供するものである。
【０００５】
【発明の実施の形態】
以下、本発明の一実施の形態を図１に従って詳述する。図に於て１はダムである。該ダム１は掘削にて形成された法面２を有する。該ダム１に貯留される水の水位は、ハイレベルＨＬ及び中間レベルＭＬ並びにローレベルＬＬの任意の水位に人為的に変動される。従って、前記法面２に設けられる緑化基盤は冠水状態におかれる場合と非冠水状態におかれる場合とがある。
【０００６】
而して、該法面２は編柵工３が階段状に設置される。該編柵工３は木杭３ａ，３ａ…を法面２の横方向に並設されるように殆ど間断なく該法面２に打ち込まれて構築される。このように法面２に打ち込まれた木杭３ａ，３ａ…の内側面に沿って上下方向に柳類の粗朶４，４…が設置され、更に、該柳類の粗朶４，４…の内側面に沿って上下方向に合成繊維の不織布等から成る吸出し防止材５，５…が装着されている。而して、該吸出し防止材５，５…は後述の客土粒子の流出を防止すると共に通水性を有する生地である。
【０００７】
次に、該吸出し防止材５，５…の下端部近傍に位置する法面２を該吸出し防止材５，５…の夫々の下端部に沿って横方向へ溝６，６…を掘削し、そして、上段側の編柵工３との間の法面に、上面が水平になるように盛土して客土層７を形成する。該客土層７は現地発生土又は盛土用の土が用いられる。又、各客土層７，７…の夫々の上面は夫々対応する下段側の各編柵工３，３…の上端面より距離ｈを有するように低いレベルに盛土される。このとき、該盛土は前記各溝６，６…にも挿入されて巻き込まれ、該盛土された客土層７，７…を安定させる。そして、該客土層７，７…の夫々の上面に生育基盤層８，８…を夫々設け、更に、該生育基盤層８，８…の上面に柳類の粗朶４ａ，４ａ…を敷設してこの柳類の粗朶４ａ，４ａ…の上面を夫々対応する下段側の各編柵工３，３…の上端面と略一致させることにより、前記距離ｈを埋める。
【０００８】
又、該生育基盤層８，８…の上面に金網又は針金等にて形成された粗朶押え９，９…が装着されて該柳類の粗朶４ａ，４ａ…及び前記生育基盤層８，８…を擁護している。
【０００９】
而して、前記生育基盤層８，８…は連続長繊維混入客土の吹付け装置を用いて施工されるを可とする。該吹付け装置は、クレーン付きのトラックの荷台に客土材の圧送装置及びタンクが搭載されており、更に、該クレーンのブームの先端部に連続長繊維混入のボビンを収納した噴射装置が備えられ、そして、該タンク内で客土材及び肥料配合の種子等を水を加えて攪拌混練し、スラリー状になった客土材並びに団粒剤を前記噴射装置へ圧送する。而して、該噴射装置には噴射ノズルが設けられ、圧送されてきた客土材と団粒剤とが混合されて噴射される。そして、ボビンの連続長繊維が該噴射ノズル内へ引き込まれ、客土材に混入されて噴射されるように構成されている。斯くの如く構成された吹付け装置によって前記客土層７，７…上面に連続長繊維混入客土材を吹付ける際には、クレーンのブームを伸縮し、前記噴射ノズルを前後左右に揺動して該連続長繊維混入客土材を適宜厚みに吹付けることにより該生育基盤層８，８…が各段毎に形成される。  又、前記団粒剤としては、例えばポリアクリルアミドの高分子凝集剤が用いられる。該凝集剤は前記タンク内で水分を含有する客土材と共に攪拌混練され、そして、前記肥料配合の種子等を混入した泥状の客土材を団粒化し、前記連続長繊維と共に前記盛土された各段毎の客土層７，７…上に前記生育基盤層８，８…を形成するのであるから、該生育基盤層８，８…内に包含されている種子の発芽性が良好であり、早期に生育して緑化することが可能となる。又、柳類の枝による粗朶４ａ，４ａ…は耐冠水性に優れており、従って、柳類が発芽、生育して法面２の緑化及び保護が促進される。
【００１０】
而して、ダム１内に於て生じる波浪や流木等により前記生育基盤層８，８…が浸食されようとしても、該生育基盤層８，８…は団粒化された客土材が連続長繊維によって結縛され、更に、上面に前記柳類の粗朶４ａ，４ａ…が敷設されて該生育基盤層８を擁護しているので、前記波浪や流木等による浸食は可及的に阻止される。又、仮に、該波浪や流木等によって該生育基盤層８，８…が浸食されるようなことがあっても、前記柳類の粗朶４，４…及び４ａ，４ａ…は該金網又は針金等から成る粗朶押え９，９…及び編柵工３，３…によって前記浸食が免れ、更に、前述したように柳類の優れた耐冠水性により柳類が発芽、生育して法面２を緑化し、且つ、該柳類の根張り作用によって該法面２を確実に保護することが可能となる。
【００１１】
尚、本発明の法面緑化工法は、湛水池等水位変動域法面のみならず、すべての法面緑化工法に施すことができ、更に、本発明は、本発明の精神を逸脱しない限り種々の改変をなすことができ、そして、本発明が該改変されたものに及ぶことは当然である。
【００１２】
【発明の効果】
本発明は法面緑化工法において、編柵工の内側面に沿って上下方向、及び、客土層の上面に発芽可能な柳類の粗朶を設置したので、該柳類の粗朶が発芽生育して法面を階段状に、強固且つ安定的に形成する。又、発芽した柳類の粗朶はダム内の波浪による侵食をうけることがなく、且つ、柳類の優れた耐冠水性と相俟って、該柳類の粗朶は発芽生育して法面を緑化する。更に、生育基盤層から生育する木本及び草木類と発芽生育した柳類の
相乗的な根張り効果により法面保護を確実に実施できると共に、木本を含む緑化による景観保全が可能となる等、正に、著大なる効果を奏する発明である。
【図面の簡単な説明】
【図１】本発明の一実施の形態を示し、ダム法面の解説断面図。
【符号の説明】
１        ダム
２        法面
３        編柵工
４，４ａ  柳類の粗朶
５        吸出し防止材
７        客土層
８        生育基盤層
９        粗朶押え
【図１】
0003825553.tif 000002